(57)【要約】【課題】暴力攻撃を受け難く、耐環境性能に優れていながら、既存の取り付けスペースに取り付けることができる。【解決手段】自動販売機の扉に取り付けられるケース２、回動により扉のロック機構のロックを解錠するロック解除部３、収容位置と突出位置との間を移動し、ロック解除部３の回動の軸よりもケース２の一端部側に寄った位置を軸として回動するハンドル部４、ハンドル部４の回動をロック解除部３に伝達してロック解除部３を回動させるリンク部５、ケース２におけるハンドル部４の軸とは反対側の端部に空間を形成し、扉の正面側に鍵を出し入れする出入口を有する鍵出入部６、鍵出入部６内におけるハンドル部４の軸側に鍵穴７１を有し、ハンドル部４を収容位置に保持し、鍵穴７１に挿入された鍵Ｋによる解錠に連動して、ハンドル部４の突出位置への移動を許容する錠前部７を有する。【選択図】図３
2014190049.tif 000002
【特許請求の範囲】
【請求項１】
扉に取り付けられるケースと、
前記ケースに設けられ、回動により扉のロック機構のロックを解除するロック解除部と、
前記ケース内に収容される収容位置と前記ケースから一部が突出する突出位置との間を移動し、前記ロック解除部の回動の軸よりも前記ケースの一端部側に寄った位置を軸として回動するハンドル部と、
前記ハンドル部の回動を前記ロック解除部に伝達することにより、前記ロック解除部を回動させるリンク部と、
前記ケースにおける前記ハンドル部の軸とは反対側の端部に空間を形成するとともに、扉の正面側に鍵を出し入れする出入口を有する鍵出入部と、
前記鍵出入部内における前記ハンドル部の軸側に鍵穴を有し、前記ハンドル部を収容位置に保持し、前記鍵穴に挿入された鍵による解錠に連動して、前記ハンドル部の突出位置への移動を許容する錠前部と、
を有することを特徴とするハンドルロック装置。
【請求項２】
前記突出位置への移動が規制されつつ、前記ハンドル部の回動に従って回動する回動部を有し、
前記リンク部により、前記回動部と前記ロック解除部とが連結されていることを特徴とする請求項１記載のハンドルロック装置。
【請求項３】
前記リンク部は、一端が前記回動部に回動可能に連結され、他端が前記ロック解除部に回動可能に連結された駆動板であることを特徴とする請求項２記載のハンドルロック装置。
【請求項４】
前記ハンドル部の一部は、収容位置において前記ケースに収容され、前記突出位置において前記ケースから突出するハンドル操作部であり、
前記錠前部は、収容位置にあるハンドル操作部の背面側に収容されていることを特徴とする請求項１〜３のいずれか１項に記載のハンドルロック装置。
【請求項５】
収容位置にある前記ハンドル操作部と前記錠前部との間に、防御板が設けられていることを特徴とする請求項４記載のハンドルロック装置。
【請求項６】
前記錠前部は、前記鍵穴から前記ハンドル部の軸へと向かう方向を軸とするシリンダ錠であることを特徴とする請求項１〜５のいずれか１項に記載のハンドルロック装置。
【請求項７】
前記ケースは、扉の正面側から見て、対向する長辺と、これよりも短く、対向する短辺に囲まれた開口部を有し、
前記ケースは、前記長辺に連続した面である長面部と、前記短辺に連続した面である短面部とに囲まれた領域を有し、
前記ハンドル部の軸は、一方の短面部側に設けられ、
前記鍵出入部は、他方の短面部側に設けられていることを特徴とする請求項１〜６のいずれか１項に記載のハンドルロック装置。
【請求項８】
前記錠前部は、
前記ハンドル部に係脱する方向に変位するデッドボルトと、
鍵による解錠及び施錠に連動して、前記デッドボルトの係脱を切り替えるシリンダカムと、
を有することを特徴とする請求項１〜７のいずれか１項に記載のハンドルロック装置。
【発明の詳細な説明】
【技術分野】
【０００１】
本発明の実施形態は、例えば自動販売機等に取り付けられるポップアップ式のハンドルロック装置に関する。
【背景技術】
【０００２】
ポップアップ式のハンドルロック装置は、自動販売機に広く使用されている。このハンドルロック装置は、図１４に示すように、自動販売機の扉の正面に取り付けられ、鍵穴１０１に挿入した鍵により解錠できる錠前付きのハンドル１０２を備えている。
【０００３】
ハンドル１０２は、鍵穴１０１から鍵を挿入して回動させることにより錠前を解錠すると、図１５に示すように、自動販売機の正面から突出（ポップアップ）する。そして、図１６に示すように、突出したハンドル１０２を手動で回動させると、扉のロック機構のロックが解除されて、扉を開くことができる。
【０００４】
なお、ロック機構のロック及びロック解除は、ハンドルロック装置の背面側に設けられ、ハンドル１０２と一体的に且つ同軸に回動するテールカム１０３とロック機構との係脱により行われる。
【０００５】
このようなハンドルロック装置は、錠前の鍵穴が、自動販売機の正面に露出している。このため、暴力攻撃を受けやすい。例えば、錠前が一般的なシリンダ錠である場合には、ドリル攻撃をする場合、正面からの位置合わせがし易く、軸方向からのドリルによるもみ切りが、簡単に行われてしまう。
【０００６】
また、鍵穴が正面に露出していると、風雨に晒されることになる。このため、鍵穴等の前面から、錠前の内部に水等が侵入して、シリンダ錠の精密な機構部分が劣化し易くなる。
【０００７】
これに対処するため、ハンドルの下部に、正面が開口した空間を設け、この空間の天井側に、錠前の鍵穴を設けた技術が提案されている（特許文献１）。この従来技術は、開口から入れた鍵の先端を、鍵穴に対して下から上へ垂直方向に挿入する構造となっている。
【０００８】
このような構造では、鍵穴が正面に露出しておらず、ハンドルによって覆い隠されている。このため、ドリルを挿入して、位置合わせをすることは困難となり、暴力攻撃を受け難くなる。また、鍵穴はハンドルに覆われていて、下方を向いているため、風雨も入りにくくなる。
【先行技術文献】
【特許文献】
【０００９】
【特許文献１】特開２００４−１３７８２５号公報
【発明の概要】
【発明が解決しようとする課題】
【００１０】
しかしながら、上記のような従来技術では、鍵穴への鍵の挿入と回動により解錠される錠前部分が、ハンドルロック装置の内部に、軸が垂直方向となるように配置されている。そして、この錠前部分の下部に、鍵を出し入れするための空間を設ける必要がある。
【００１１】
このため、ハンドルロック装置全体の取り付けスペースが、下方に拡大することになる。すると、既存の自動販売機におけるハンドルロック装置の取り付けスペースの規格に合致しない。
【００１２】
従って、このようなハンドルロック装置を自動販売機に設ける場合には、自動販売機側に特別な取り付けスペースが必要となり、現実に取り付けられる自動販売機が限定されてしまう。また、既存の自動販売機におけるハンドルロック装置に換えて、上記のハンドルロック装置を取り付けることは不可能となる。
【００１３】
本発明は、上記のような従来技術の問題を解決するために提案されたものであり、その目的は、暴力攻撃を受け難く、耐環境性能に優れていながら、既存の取り付けスペースに取り付けることができるハンドルロック装置を提供することにある。
【課題を解決するための手段】
【００１４】
上記のような目的を達するため、本発明のハンドルロック装置は、扉に取り付けられるケースと、前記ケースに設けられ、回動により扉のロック機構のロックを解除するロック解除部と、前記ケース内に収容される収容位置と前記ケースから一部が突出する突出位置との間を移動し、前記ロック解除部の回動の軸よりも前記ケースの一端部側に寄った位置を軸として回動するハンドル部と、前記ハンドル部の回動を前記ロック解除部に伝達することにより、前記ロック解除部を回動させるリンク部と、前記ケースにおける前記ハンドル部の軸とは反対側の端部に空間を形成するとともに、扉の正面側に鍵を出し入れする出入口を有する鍵出入部と、前記鍵出入部内における前記ハンドル部の軸側に鍵穴を有し、前記ハンドル部を収容位置に保持し、前記鍵穴に挿入された鍵による解錠に連動して、前記ハンドル部の突出位置への移動を許容する錠前部と、を有することを特徴とする。
【００１５】
前記突出位置への移動が規制されつつ、前記ハンドル部の回動に従って回動する回動部を有し、前記リンク部により、前記回動部と前記ロック解除部とが連結されていてもよい。
【００１６】
前記リンク部は、一端が前記回動部に回動可能に連結され、他端が前記ロック解除部に回動可能に連結された駆動板であってもよい。
【００１７】
前記ハンドル部の一部は、収容位置において前記ケースに収容され、前記突出位置において前記ケースから突出するハンドル操作部であり、前記錠前部は、収容位置にあるハンドル操作部の背面側に収容されていてもよい。
【００１８】
収容位置にある前記ハンドル操作部と前記錠前部との間に、防御板が設けられていてもよい。
【００１９】
前記錠前部は、前記鍵穴から前記ハンドル部の軸へと向かう方向を軸とするシリンダ錠であってもよい。
【００２０】
前記ケースは、扉の正面側から見て、対向する長辺と、これよりも短く、対向する短辺に囲まれた開口部を有し、前記ケースは、前記長辺に連続した面である長面部と、前記短辺に連続した面である短面部とに囲まれた領域を有し、前記ハンドル部の軸は、一方の短面部側に設けられ、前記鍵出入部は、他方の短面部側に設けられていてもよい。
【００２１】
前記錠前部は、前記ハンドル部に係脱する方向に変位するデッドボルトと、鍵による解錠及び施錠に連動して、前記デッドボルトの係脱を切り替えるシリンダカムと、を有してもよい。
【発明の効果】
【００２２】
以上のような本発明によれば、暴力攻撃を受け難く、耐環境性能に優れていながら、既存の取り付けスペースに取り付けることができるハンドルロック装置を提供することができる。
【図面の簡単な説明】
【００２３】
【図１】実施形態のハンドルロック装置のハンドル収容時を示す正面図
【図２】実施形態のハンドルロック装置の側面図
【図３】実施形態のハンドルロック装置の内部構成を示す透視側面図
【図４】実施形態のハンドルロック装置の背面図
【図５】実施形態のハンドルロック装置のハンドル回動時を示す正面図
【図６】実施形態のハンドルロック装置のリンク部を示す図３のＥ−Ｅ’断面図
【図７】実施形態のハンドルロック装置の内部構成を示す透視正面図
【図８】実施形態のハンドルロック装置に用いる鍵を示す側面図
【図９】図３のＢ−Ｂ’断面図
【図１０】図７のＡ−Ａ’断面図
【図１１】図３のＣ−Ｃ’断面図
【図１２】デッドボルトの回動を示す図３のＤ−Ｄ’断面図
【図１３】リンク部の動作を示す図３のＥ−Ｅ’断面図
【図１４】従来のハンドルロック装置のハンドル収容時を示す正面図
【図１５】従来のハンドルロック装置のハンドル突出時を示す側面図
【図１６】従来のハンドルロック装置のハンドル回動時を示す正面図
【発明を実施するための形態】
【００２４】
本実施形態のハンドルロック装置について、図１〜図１３を参照して説明する。
［実施形態の構成］
［１．全体構成］
ハンドルロック装置１は、図１〜図７に示すように、ケース２、ロック解除部３、ハンドル部４、リンク部５、鍵出入部６、錠前部７を有する。各部の概略は、以下の通りである。
【００２５】
(1)ケース２…自動販売機の扉に取り付けられる（図１〜図３参照）。
(2)ロック解除部３…ケース２に設けられ、回動により自動販売機の扉のロック機構のロックを解除する（図４参照）。
(3)ハンドル部４…ケース２内に収容される収容位置とケース２から一部が突出する突出位置との間を移動し（図２参照）、ロック解除部３の回動の軸よりもケース２の一端部側に寄った位置を軸として回動する（図５参照）。
(4)リンク部５…ハンドル部４の軸部４２の回動をロック解除部３に伝達することにより、ロック解除部３を回動させる（図６参照）。
(5)鍵出入部６…ケース２におけるハンドル部４の軸とは反対側の端部に空間を形成するとともに、自動販売機の扉の正面側に鍵を出し入れする出入口６１を有する（図２参照）。
(6)錠前部７…鍵出入部６におけるハンドル部４の軸側に鍵穴７１を有し、鍵穴７１に挿入された鍵による解錠に連動して、ハンドル部４の突出位置への移動を許容する（図３、図５、図７参照）。
【００２６】
なお、図８に示すように、ハンドルロック装置１の解錠に用いる鍵Ｋは、Ｌ字形状のプレートである。鍵Ｋの一方の直線状のブレード部ｋ１には、その縁部に鍵山が形成され、表面にキーウェイが形成されている。また、鍵Ｋの他方の直線部は、キーヘッドｋ２を構成し、その端部には、リング、チェーン等が挿入される穴が形成されている。
【００２７】
以下に、上記の各部の詳細を説明する。以下の説明では、自動販売機を設置した状態で、正面から見た状態を基準として上下方向、左右方向とし、自動販売機の正面側を前方、背面側を後方とする。
【００２８】
［２．ケース］
ケース２は、図１及び図２に示すように、各部を収容する収容部２１、正面側にフランジ部２２、背面側に筒部２３を有する。収容部２１は、自動販売機の扉の前面側に開口部２１ａを有する筐体である。開口部２１ａは、図１に示すように、扉の正面側から見て、左右に対向する長辺と、これよりも短く、上下に対向する短辺に囲まれた長穴を形成する領域である。
【００２９】
収容部２１は、開口部２１ａにおける長辺に連続した面である長面部２１ｂ、２１ｃと、開口部２１ａにおける短辺に連続した面である短面部２１ｄ、２１ｅを有する（図１、図２参照）。長面部２１ｂ、２１ｃは平面形状である。短面部２１ｄは、上方に凸となるように湾曲した曲面形状であり、短面部２１ｅは、下方に凸となるように湾曲した曲面形状である。なお、収容部２１における開口部２１ａと対向する後方の面は、平板状の背面部２１ｆとなっている。
【００３０】
収容部２１は、上方の短面部２１ｄ側にハンドル部４を収容し、下方の短面部２１ｅ側に鍵出入部６を形成している。そして、収容部２１は、ハンドル部４と鍵出入部６との間に、リンク部５、錠前部７を収容している（図３参照）。
【００３１】
フランジ部２２は、収容部２１における開口部２１ａの外周囲に、厚みを増して形成された縁部である。このフランジ部２２は、扉の取り付け穴に収容部２１を挿入した際に、没入量を規制するストッパの役割を果たす。
【００３２】
筒部２３は、背面部２１ｆに連続して設けられ、軸を前後方向とする円筒形状の膨出部である。この筒部２３には、後述するロック解除部３が設けられる。なお、背面部２１ｆには、図６及び図７に示すように、四隅及び長手方向の中間に、合計６つの取付穴２１ｇが設けられている。
【００３３】
以上のようなケース２の外形寸法は、自動販売機の寸法規格に適合している。従って、この規格に対応する自動販売機への取り付け若しくは既存のハンドルロック装置との交換が可能となる。
【００３４】
例えば、フランジ部２２を含む正面側の長手方向の長さは、１１０ｍｍ、短手方向の長さは、５６ｍｍである。また、フランジ部２２を除く収容部２の奥行は、３０ｍｍである。さらに、筒部２３の奥行は、１７ｍｍである。但し、本発明は、この寸法に限定されるものではない。
【００３５】
［３．ロック解除部］
ロック解除部３は、図３及び図４に示すように、テールピース３１、テールカム３２、固着用ビス３３を有する。テールピース３１は、ケース２の背面側の筒部２３の内径と略同一の外径を有する有底円筒形状の部材である（図３参照）。このテールピース３１は、筒部２３に挿入され、筒部２３と略同一の軸を中心に、回動可能に設けられている。テールピース３１の背面側は、筒部２３の後端の縁部によって、後方への移動が規制されている。
【００３６】
テールカム３２は、テールピース３１の背面に設けられ、筒部２３から外部に露出した円板状の部材である（図４参照）。固着用ビス３３は、テールカム３２を、テールピース３１の背面に固着する一対のビスである。
【００３７】
テールカム３２は、その周囲に、テールピース３１の回動とともに回動し、自動販売機の扉のロック機構（図示せず）に係脱して、ロック解除を行う爪部３２ａを有する（図４参照）。テールピース３１の回動量は、筒部２３の後端に設けられた凸部２３ａによって、所定量に規制されている。
【００３８】
［４．ハンドル部］
ハンドル部４は、図１〜図３、図５及び図７に示すように、作業員が操作するハンドル４１、ハンドル４１の回動の軸となるスリーブ４２、ハンドル４１を突出位置に付勢する付勢部４３を有する。
【００３９】
ハンドル４１は、正面から出没するハンドル操作部４１ａ、スリーブ４２が挿通されるハンドル筒部４１ｂを有する。ハンドル操作部４１ａは、図１に示すように、略方形状のプレートである。ハンドル操作部４１ａの正面側から見て、上辺は開口部２１ａの上側の短辺の曲線に合致し、左右の辺は、開口部２１ａの長辺の直線に合致する外形状を有する。ハンドル操作部４１ａの左右の辺は、開口部２１ａの長辺よりも短く、下辺は直線状となっている。
【００４０】
ハンドル操作部４１ａの背面には、防御板４１ｆが設けられている（図３参照）。防御板４１ｆは、ハンドル操作部４１ａがケース２内に収容されている状態で、錠前部７の前方を覆う位置に設けられている。防御板４１ｆとしては、例えば、焼き入れの鉄板を用いることができる。
【００４１】
ハンドル筒部４１ｂは、図３に示すように、ハンドル操作部４１ａの背面の上辺近傍に設けられた筒状体である。ハンドル筒部４１ｂの軸は、ハンドル操作部４１ａの面に対して直交する方向である。ハンドル筒部４１ｂの外周における正面側から見て左右には、後述するデッドボルト７４が係脱するロック穴４１ｃが形成されている。
【００４２】
ハンドル筒部４１ｂの正面側から見て上部には、図７に示すように、スリット４１ｄが、軸と平行な方向に形成されている。後述するストッパねじ４２ｂが、このスリット４１ｄ内を通過することにより、ハンドル筒部４１ｂの移動をガイドする。スリット４１ｄの後端は、ストッパねじ４２ｂに当接することにより、ハンドル筒部４１ｂの前方への突出量を規制する（図３参照）。
【００４３】
さらに、ハンドル筒部４１ｂの内縁には、図７に示すように、ガイド溝４１ｅが、軸と平行な方向に設けられている。ガイド溝４１ｅには、後述するスリーブ４２の突出部４２ａが嵌る。この突出部４２ａが、ハンドル筒部４１ｂの移動をガイドする。
【００４４】
スリーブ４２は、ケース２内に設けられ、ハンドル部４の回動の軸を構成する筒状体である（図３、図７参照）。なお、図６に示すように、スリーブ４２の軸Ｘ１は、ロック解除部３のテールピース３１の軸Ｘ２よりも、短面部２１ｄ側に寄った位置となっている。
【００４５】
このスリーブ４２の外周の下部には、軸と平行な方向の直線状の隆起である突出部４２ａが設けられている。また、スリーブ４２の外周の上部には、正面側の端部の近傍に、ストッパねじ４２ｂが取り付けられている。
【００４６】
スリーブ４２は、ハンドル筒部４１ｂの内径と略同一の外径を有し、ハンドル筒部４１ｂ内に挿入されている。このとき、ハンドル筒部４１ｂのガイド溝４１ｅには、スリーブ４２の突出部４２ａが嵌り、ハンドル筒部４１ｂのスリット４１ｄ内に、スリーブ４２のストッパねじ４２ｂが入る。
【００４７】
これにより、ハンドル筒部４１ｂは、軸を中心にスリーブ４２とともに回動可能に構成されるとともに、スリーブ４２から独立して軸方向にスライド移動可能に構成される。
【００４８】
さらに、図６に示すように、スリーブ４２の後方の端部には、スリーブ４２と一体の回動部４２ｃが設けられている。回動部４２ｃは、スリーブ４２の径が拡大した円形の板状であり、ケース２内において、スリーブ４２とともに回動するが、軸方向への移動が規制されている。
【００４９】
付勢部４３は、スリーブ４２の内部に挿入された圧縮コイルばねである。付勢部４３の後端は、スリーブ４２の内部において回動部４２ｃに当接している。付勢部４３の前端は、ハンドル筒部４１ｂの内部から、ハンドル操作部４１ａの背面に当接している。
【００５０】
付勢部４３が蓄勢されていない状態では、図２に示すように、ハンドル操作部４１ａは、扉から前方に突出している。そして、図３に示すように、ハンドル操作部４１ａは、押圧されることによりハンドル筒部４１ｂとともに後方に移動して、開口部２１ａに嵌り、収容部２１内に収容される。
【００５１】
このとき、付勢部４３は、ハンドル操作部４１ａを前方に付勢するように蓄勢される。しかし、図９に示すように、ハンドル筒部４１ｂのロック穴４１ｃに、後述するデッドボルト７４の屈曲部７４ａが係合するので、ハンドル操作部４１ａの突出は規制され、収容位置に保持される。
【００５２】
［５．リンク部］
リンク部５は、図６に示すように、ハンドル部４とロック解除部３とを連結する駆動板５１、連結軸５２、５３を有する。駆動板５１は、ハンドル部４からロック解除部３へと延びる長尺のプレートである。駆動板５１の一端は、スリーブ４２の回動部４２ｃの背面に、連結軸５２により回動可能に連結されている。連結軸５２の位置は、回動部４２ｃの軸Ｘ１から偏心した位置である。
【００５３】
駆動板５１の他端は、ロック解除部３のテールピース３１の底面（前方に向かう面）に、連結軸５３により回動可能に連結されている。連結軸５３の位置は、テールピース３１の軸Ｘ２から偏心した位置である。
【００５４】
スリーブ４２の回動に従って、テールピース３１が安定して回動するように、例えば、駆動板５１における連結軸５２及び連結軸５２の回動中心を結ぶ長さと、スリーブ４２及びテールピース３１の軸を結ぶ長さとは一致している。但し、所望の回動量、駆動力の大きさに応じて、これと異なる長さとしてもよい。
【００５５】
［６．鍵出入部］
鍵出入部６は、図１〜図３に示すように、ケース２の正面側から見て、下方の短面部２１ｅ側の空間を形成する部分である。このケース２の正面側は、ハンドル操作部４１ａの下辺と、その下方の開口部２１ａによって、出入口６１を構成している。この出入口６１は、鍵Ｋを挿入できる大きさとなっている。
【００５６】
例えば、ハンドル操作部４１ａの下辺の位置を、開口部２１ａの長辺の半分より下方の位置とする。また、出入口６１の高さを、鍵Ｋのブレード部ｋ１を直立させた状態で、挿入できる高さとする（図２参照）。
【００５７】
鍵出入部６の内部は、左右の側面が長面部２１ｂ、２１ｃ、底面が短面部２１ｅ、背面が背面部２１ｆによって構成される。鍵出入部６の内部の天井は、後述する錠前部７の鍵穴７１が設けられた面となっている（図３参照）。
【００５８】
［７．錠前部］
錠前部７は、図３、図５及び図７に示すように、鍵穴７１を備えたシリンダ錠７２と、シリンダ錠７２に連動してハンドル部４の出没の規制を切り替えるシリンダカム７３、デッドボルト７４、付勢部７５を有する。シリンダ錠７２は、鍵穴７１に正しい鍵Ｋを挿入して、外筒内の内筒を解錠方向に回動させることにより、外筒に対する内筒の規制を解除させることができる錠機構である。
【００５９】
シリンダ錠７２は、図３に示すように、ケース２における鍵出入部６の上方に、鍵穴７１が鍵出入部６側に向くように取り付けられている。つまり、シリンダ錠７２の軸は、鍵穴７１が下方に向いた上下方向となっている。
【００６０】
正しい鍵Ｋを挿入、回動させて規制が解除された内筒は、外筒内を回動する。シリンダカム７３は、この内筒における鍵穴７１と反対端に連結して、内筒とともに回動可能に設けられている。
【００６１】
シリンダカム７３は、図３及び図１１に示すように、シリンダ錠７２と同軸の円筒形状の部材である。このシリンダカム７３は、下方に小径の基体部７３ａを構成し、上方に、これよりも大径のカム部７３ｂを有する。
【００６２】
基体部７３ａは、水平断面が円形の筒状体である。カム部７３ｂは、基体部７３ａの上端に設けられ、外方に突出した一対の突出部７３ｃを有する（図１１参照）。一対の突出部７３ｃは、１８０度の間隔を空けて、同一の角度範囲にわたって形成されている。
【００６３】
デッドボルト７４は、図７に示すように、ケース２内の正面側から見て、ハンドル筒部４１ｂ及びシリンダカム７３を挟んで左右に設けられた一対のプレートである。各デッドボルト７４は、その下端がケース２内に回動可能に軸支されている。各デッドボルト７４の上端には、ハンドル筒部４１ｂのロック穴４１ｃに向かい、これに係合する方向に屈曲された屈曲部７４ａが設けられている。
【００６４】
付勢部７５は、デッドボルト７４の軸に巻装されたねじりコイルばねである。この付勢部７５の一方の腕は、ケース２内に当接している。付勢部７５の他方の腕は、デッドボルト７４に当接している。この付勢部７５により、デッドボルト７４は、屈曲部７４ａがロック穴４１ｃに係合する方向に常時付勢されている。
【００６５】
デッドボルト７４は、シリンダカム７３の回動に従って突出部７３ｃが接することにより、付勢部７５の不勢力に抗して回動し、屈曲部７４ａがロック穴４１ｃから外れる方向に付勢される。
【００６６】
［実施形態の作用］
［１．自動販売機への取り付け作業］
以上のような本実施形態の自動販売機への取り付けは、従来の自動販売機の寸法規格に沿った取り付け部分に対して、既存のハンドルロック装置と同様に取り付けることができる。
【００６７】
つまり、ケース２の開口部２１ａ側を手前に、筒部２３側を奧にして、自動販売機の扉の取り付け穴に挿入し、フランジ部２２が、扉の取り付け穴の周縁に当接するまで押し付ける。
【００６８】
そして、背面部２１ｆの取付穴２１ｇに図示しないビスを通し、扉側のねじ穴に捩じ込むことにより、ケース２を、扉に固定する。このとき、自動販売機の扉のロック機構に、テールカム３２の爪部３２ａが係脱可能となる。
【００６９】
［２．初期状態］
以上のように取り付けられた本実施形態は、自動販売機の扉が閉じた状態では、図１に示すように、ハンドル操作部４１ａが、開口部２１ａに嵌って、ケース２内に収容されている。このとき、図３、図７及び図９に示すように、ハンドル筒部４１ｂのロック穴４１ｃに、デッドボルト７４の屈曲部７４ａが係合して、ハンドル操作部４１ａの突出がロックされている。
【００７０】
［３．シリンダ錠の解錠］
このような初期状態から、自動販売機の内部の入れ替え、点検等を行う作業員は、まず、鍵Ｋによってシリンダ錠を解錠する。つまり、作業員は、図２に示すように、キーヘッドｋ２を手前にして、ブレード部ｋ１が上を向くように、鍵出入部６の出入口６１から鍵Ｋを入れる。そして、作業員は、ブレード部ｋ１を、鍵穴７１に挿入して、解錠方向に回動させる。すると、シリンダ錠７２が解錠されて内筒が回動する。
【００７１】
［４．ハンドル操作部の突出］
シリンダ錠７２の解錠に従って、内筒が回動すると、シリンダカム７３も回動する。シリンダカム７３が回動すると、図１２に示すように、カム部７３ｂの突出部７３ｃが、デッドボルト７４を付勢部７５の不勢力に抗して回動させる。すると、デッドボルト７４の屈曲部７４ａが、ハンドル筒部４１ｂのロック穴４１ｃから外れる。
【００７２】
このように、ロック穴４１ｃから屈曲部７４ａが外れると、付勢部４３の前方への不勢力によって、ハンドル操作部４１ａが、ハンドル筒部４１ｂとともに前方に移動する。
【００７３】
このとき、ハンドル筒部４１ｂのガイド溝４１ｅが、スリーブ４２の突出部４２ａに沿って移動するが、スリーブ４２は、軸方向の移動が規制されているため移動しない。また、ハンドル筒部４１ｂのスリット４１ｄは、ストッパねじ４２ｂによって移動がガイドされる。
【００７４】
ハンドル筒部４１ｂの前方への移動が進んで、スリット４１ｄの後端が、ストッパねじ４２ｂに当接すると、ハンドル筒部４１ｂが停止する。これにより、図２に示すように、ハンドル操作部４１ａが、開口部２１ａからケース２外の前方に突出する。
【００７５】
［５．自動販売機の開扉］
作業員は、図５に示すように、突出したハンドル操作部４１ａを、手動で解錠方向に回動させる。すると、ハンドル操作部４１ａとともにハンドル筒部４１ｂも回動する。また、ハンドル筒部４１ｂのガイド溝４１ｅに、スリーブ４２の突出部４２ａが嵌っているため、スリーブ４２も回動する。
【００７６】
スリーブ４２の回動とともに、図１３に示すように、その後端の回動部４２ｃが回動するので、駆動板５１の一端の連結軸５２が、円移動する。これにより、駆動板５１の他端の連結軸５３も、円移動する。従って、駆動板５１に連結軸５３を介して連結されたテールピース３１も回動する。
【００７７】
テールピース３１の回動とともに、テールカム３２が回動する（図４参照）。すると、テールカム３２の爪部３２ａが、ロック機構のロックを解除する。作業員は、自動販売機の扉を開いて、鍵Ｋを、その回動量を戻して引き抜き、商品の入れ替え作業や、点検作業を行う。
【００７８】
鍵Ｋの回動を戻すことにより、カム部７３ｂの突出部７３ｃは、デッドボルト７４への付勢位置から外れる。但し、ハンドル筒部４１ｂは前方に移動するとともに回動しているため、デッドボルト７４はロック穴４１ｃには係合しない。
【００７９】
このとき、ハンドル操作部４１ａは、自動販売機の扉から前方に突出した状態である。但し、ハンドル操作部４１ａが、自重により又は作業員の手動により、初期状態の方向に復帰すると、開扉のために回動させた回動量の分は元に戻る。これに従って、スリーブ４２が回動するとともに、駆動板５１を介して、テールピース３１も、図６に示すように、開扉のために回動させた回動量の分が元に戻る。
【００８０】
［６．自動販売機の施錠］
作業終了後、作業員は扉を閉じる。テールピース３１の爪部３２ａがロック機構に係合して、扉がロックされる。そして、ハンドル操作部４１ａを、ケース２側に押し込む。すると、ハンドル筒部４１ｂのロック穴４１ｃに、付勢部７５により付勢されたデッドボルト７４の屈曲部７４ａが入る。これにより、ハンドル筒部４１ｂがロックされ、初期状態に復帰する。
【００８１】
［実施形態の効果］
以上のような本実施形態では、ハンドル部４と駆動部３とを分離して構成し、それぞれの回動の軸の位置をずらすことにより、錠前部７を上方へ設けて、下方のスペースを確保することができる。このため、従来の自動販売機におけるハンドルロック装置１の取付部分と全く同じ寸法で、鍵出入部６を設けることができる。
【００８２】
このため、自動販売機側には、新たに特別な構造を要さず、多くの自動販売機に取り付けることができる。また、既存の自動販売機におけるハンドルロック装置１を交換することによって、セキュリティのレベルを向上させることができる。
【００８３】
リンク部５は、ハンドル部４とともに回動するが突出する方向には移動しない回動部４２ｃに、回動可能に連結された駆動板５１によって構成されている。このため、リンク部５の機構を非常に簡素にできるとともに、所要スペースが少なくて済むので、既存の大きさのケース２内に、容易に収めることができる。
【００８４】
また、上記のように取付寸法の拡大を抑えつつ、鍵出入部６に鍵Ｋを入れるスペースを確保して、鍵穴７１を下方に向けて正面に露出させず、さらにハンドル操作部４１ａによって覆い隠している。このため、暴力攻撃を受け難く、風雨の進入も防止できるので、安全性、耐環境性能が向上する。
【００８５】
また、シリンダ錠である錠前部７は、上下方向を軸として、鍵穴７１は下方に向いている。このため、ドリル等による鍵穴７１に対する軸方向の攻撃をし難く、ピッキング等も非常に困難となる。このため、錠前部７としては、安価な標準仕様のものを用いても、安全性を確保できる。特に、ハンドル操作部４１ａには、防御板４１ｆが設けられているので、正面からの錠前部７に対する攻撃も、より一層強固に防ぐことができる。
【００８６】
また、一対の長面部２１ｂ、２１ｃ、一対の短面部２１ｄ、２１ｅにより構成されたケース２内において、ハンドル操作部４１ａの軸を、上方の短面部２１ｄ側に設け、鍵出入部６を、下方の短面部２１ｅ側に設けている。これにより、長尺を確保できる上下の方向に、ハンドル操作部４１ａと鍵出入部６とが配置される。このため、作業員が手で回動させるハンドル操作部４１ａの長さと、鍵出入部６の出入口の高さを確保した。従って、作業員によるハンドル操作部４１ａの回転操作のし易さと、鍵Ｋの挿入し易さの両立を図ることができる。特に、開口部２１ａの下方の湾曲を利用することにより、鍵Ｋが挿入し易くなる。
【００８７】
さらに、鍵Ｋによる錠前部７の解錠及び施錠の動作を、単純なシリンダカム７３によって、デッドボルト７４のハンドル部４に対する係脱動作へ切り替えている。このため、構成が簡素となり、外部からの攻撃に強く、耐久性にも優れている。
【００８８】
［他の実施形態］
上記の実施形態は、例として提示したものであり、発明の範囲を限定するものではない。これらの実施形態は、その他の様々な形態で実施されることが可能であり、発明の要旨を逸脱しない範囲で、種々の省略、置き換え、変更が可能である。
【００８９】
例えば、ケース２の大きさ、形状、取り付け方向、取り付け位置は、上記の態様には限定されない。自動販売機によっては、ハンドルロック装置が垂直方向ではなく、水平方向に取り付けられるものもあり、そのような場合にも、長手方向が水平となるように取り付けることができる。また、必ずしも、既存の自動販売機の規格に適合するものでなくてもよい。さらに、自動販売機の扉以外の扉に取り付ける態様も構成可能である。ロック解除部３の構成も、取り付けられる対象のロック機構に応じて、適宜変更可能である。
【００９０】
ハンドル部４の大きさ、形状、回動の軸構成、突出方向へ付勢する構成についても、上記の態様には限定されない。ハンドル部４を上下方向に長く形成して、鍵出入部６の出入口６１の高さを低くすることにより、出入口６１を介した攻撃と、風雨の侵入をより一層防ぐことができる。この場合も、鍵Ｋのブレード部ｋ１を横若しくは斜めにして、挿入できるスペースが確保されていればよい。ハンドル部４を突出方向へ付勢する付勢部４３を省略して、ロックが解除されたハンドル４１を手動で引き出す構成としてもよい。
【００９１】
リンク部５は、ハンドル部４側とロック解除部３側に設けられ、互いに外周が接する一対若しくは複数の回動板、又は互いに係合する一対若しくは複数のギヤによって構成することもできる。ハンドル部４及びロック解除部３に設けた溝又は一対のプーリに巻回したベルト又は糸により構成することもできる。例えば、ハンドル部４とともに回動するが突出する方向には移動しない回動部４２ｃによって、各種の構造のリンク部５を駆動する構成とすることにより、所要スペースの薄型化を図ることができる。
【００９２】
錠前部７の錠は、鍵穴７１に鍵を挿入することにより、解錠できるものであればよい。ハンドル部４のロック構成も、錠前部７の解錠に応じて、ロック解除ができるものであればよい。ロック解除のためのハンドル部４の回動方向、これに応じたロック解除部３の回動方向も、一方向には限定されない。
【符号の説明】
【００９３】
１、１００…ハンドルロック装置
２…ケース
３…ロック解除部
４…ハンドル部
５…リンク部
６…鍵出入部
７…錠前部
２１…収容部
２１ａ…開口部
２１ｂ、２１ｃ…長面部
２１ｄ、２１ｅ…短面部
２１ｆ…背面部
２１ｇ…取付穴
２２…フランジ部
２３…筒部
２３ａ…凸部
３１…テールピース
３２、１０３…テールカム
３２ａ…爪部
３３…固着用ビス
４１、１０２…ハンドル
４１ａ…ハンドル操作部
４１ｂ…ハンドル筒部
４１ｃ…ロック穴
４１ｄ…スリット
４１ｅ…ガイド溝
４１ｆ…防御板
４２…スリーブ
４２ａ…突出部
４２ｂ…ストッパねじ
４２ｃ…回動部
４３、７５…付勢部
５１…駆動板
５２，５３…連結軸
６１…出入口
７１、１０１…鍵穴
７２…シリンダ錠
７３…シリンダカム
７３ａ…基体部
７３ｂ…カム部
７３ｃ…突出部
７４…デッドボルト
７４ａ…屈曲部
【図１】
2014190049.tif 000003
【図２】
2014190049.tif 000004
【図３】
2014190049.tif 000005
【図４】
2014190049.tif 000006
【図５】
2014190049.tif 000007
【図６】
2014190049.tif 000008
【図７】
2014190049.tif 000009
【図８】
2014190049.tif 000010
【図９】
2014190049.tif 000011
【図１０】
2014190049.tif 000012
【図１１】
2014190049.tif 000013
【図１２】
2014190049.tif 000014
【図１３】
2014190049.tif 000015
【図１４】
2014190049.tif 000016
【図１５】
2014190049.tif 000017
【図１６】
2014190049.tif 000018